(57)【要約】【課題】節電を図り、かつ、非常灯代わりとなり得るエレベーターの表示装置の提供。【解決手段】上記課題は、乗りかご内に、乗りかご内照明灯７、乗りかご内用案内表示装置１０及び行先階登録釦を少なくとも設けてなるエレベーターであって、その乗りかご内用案内表示装置１０を、表面に情報内容が印刷された透光性の情報表示体と、この情報表示体の裏面側に位置して発光面が表向きに設けられたエレクトロルミネッセンスからなる面発光素子体２０と、これら情報表示体及び面発光素子体２０を収納保持する枠体とが包含される構成のエレベーターの表示装置において、乗りかご内照明灯７の点灯及び消灯に連動して乗りかご内用案内表示装置１０の面発光素子体２０が点灯及び消灯するとともに、エレベーターの電源が停電した際には、蓄電池３０により、乗りかご内用案内表示装置１０の面発光素子体２０を点灯させることで、達成できる。【選択図】図４
2008087942.tif 000002
【特許請求の範囲】
【請求項１】
乗りかご内に、乗りかご内照明灯、乗りかご内用案内表示装置及び行先階登録釦を少なくとも設けてなるエレベーターであって、その乗りかご内用案内表示装置を、表面に情報内容が印刷された透光性の情報表示体と、この情報表示体の裏面側に位置して発光面が表向きに設けられたエレクトロルミネッセンスからなる面発光素子体と、これら情報表示体及び面発光素子体を収納保持する枠体とが包含される構成にしてなるエレベーターの表示装置において、
前記乗りかご内照明灯の点灯及び消灯に連動して前記乗りかご内用案内表示装置の面発光素子体が点灯及び消灯するようにしたことを特徴とするエレベーターの表示装置。
【請求項２】
前記エレベーターの電源が停電した際には、蓄電池により、前記乗りかご内用案内表示装置の面発光素子体が点灯するようにしたことを特徴とする請求項１記載のエレベーターの表示装置。
【請求項３】
前記乗りかご内用案内表示装置の面発光素子体を、少なくともエレベーターの停止階床数に分割された複数個の分割発光素子体から構成するとともに、前記乗りかご内用案内表示装置の情報表示体を、前記複数個の分割発光素子体に合わせてそれぞれ階床情報が印刷された複数個の分割情報表示体から構成し、前記複数個の分割発光素子体のうちで、乗りかごのサービス階に対応する１つの分割発光素子体のみを、前記乗りかご内照明灯の点灯及び消灯に連動して点灯及び消灯させるようにしたことを特徴とする請求項１記載のエレベーターの表示装置。
【請求項４】
前記エレベーターの乗場に、乗場呼び登録釦、呼び登録応答灯及び乗場用案内表示装置を少なくとも設け、この乗場用案内表示装置を、表面に情報内容が印刷された透光性の情報表示体と、この情報表示体の裏面側に位置して発光面が表向きに設けられたエレクトロルミネッセンスからなる面発光素子体と、これら情報表示体及び面発光素子体を収納保持する枠体とが包含される構成にするとともに、前記乗場呼び登録釦の操作により前記呼び登録応答灯を点灯及び消灯させ、この点灯及び消灯に連動して前記乗場用案内表示装置の面発光素子体が点灯及び消灯するようにしたことを特徴とする請求項１記載のエレベーターの表示装置。
【請求項５】
前記乗りかご内用案内表示装置及び前記乗場用案内表示装置は、連続点灯したり点滅点灯したりすることを選択できる構成であることを特徴とする請求項４記載のエレベーターの表示装置。
【発明の詳細な説明】
【技術分野】
【０００１】
本発明は、乗客に建物内などの各種情報を表示するのに好適なエレベーターの表示装置に関するものである。
【背景技術】
【０００２】
従来、エレベーターの表示装置としては、発光面が表向きにエレクトロルミネッセンス発光素子からなる光源と、この光源の発光面に近接して設けられた透光性材料からなる情報表示体とからなる乗りかご内表示装置を、乗りかごの側板、幕板、かごドア若しくは幅木に取り付けるようにしたものが知られている（例えば、特許文献１参照）。
【特許文献１】特開２００６−２１８５３号公報
【発明の開示】
【発明が解決しようとする課題】
【０００３】
しかしながら、上述した特開２００６−２１８５３号公報に記載されたエレベーターの表示装置では、乗客が乗りかご若しくは乗場に乗客がいない場合であっても、乗りかご内表示装置を常時点灯させるようにしているために、消費電力が増大してしまうという問題点があった。また、乗りかご内表示装置の情報表示体全体をエレクトロルミネッセンス発光素子からなる光源で照らすようにしているため、乗客の目的とする利用階の情報を瞬時に見取るための視認効果が低いという問題点があった。
【０００４】
本発明は、上述した問題点に鑑みなされたもので、その目的は、節電を図り、かつ、乗客への視認効果が高められて乗客への情報伝達を確実に行い得るエレベーターの表示装置を提供することにある。
【課題を解決するための手段】
【０００５】
上記目的を達成するために、本発明は、乗りかご内に、乗りかご内照明灯、乗りかご内用案内表示装置及び行先階登録釦を少なくとも設けてなるエレベーターであって、その乗りかご内用案内表示装置を、表面に情報内容が印刷された透光性の情報表示体と、この情報表示体の裏面側に位置して発光面が表向きに設けられたエレクトロルミネッセンスからなる面発光素子体と、これら情報表示体及び面発光素子体を収納保持する枠体とが包含される構成にしてなるエレベーターの表示装置において、前記乗りかご内照明灯の点灯及び消灯に連動して前記乗りかご内用案内表示装置の面発光素子体が点灯及び消灯するようにしたことを特徴としている。
【０００６】
さらに、本発明は、前記エレベーターの電源が停電した際には、蓄電池により、前記乗りかご内用案内表示装置の面発光素子体が点灯するようにしたことを特徴としている。
【０００７】
さらに、本発明は、前記乗りかご内用案内表示装置の面発光素子体を、少なくともエレベーターの停止階床数に分割された複数個の分割発光素子体から構成するとともに、前記乗りかご内用案内表示装置の情報表示体を、前記複数個の分割発光素子体に合わせてそれぞれ階床情報が印刷された複数個の分割情報表示体から構成し、前記複数個の分割発光素子体のうちで、乗りかごのサービス階に対応する部分の分割発光素子体のみを、前記乗りかご内照明灯の点灯及び消灯に連動して点灯及び消灯させるようにしたことを特徴としている。
【０００８】
さらに、本発明は、前記エレベーターの乗場に、乗場呼び登録釦、呼び登録応答灯及び乗場用案内表示装置を少なくとも設け、この乗場用案内表示装置を、表面に情報内容が印刷された透光性の情報表示体と、この情報表示体の裏面側に位置して発光面が表向きに設けられたエレクトロルミネッセンスからなる面発光素子体と、これら情報表示体及び面発光素子体を収納保持する枠体とが包含される構成にするとともに、前記乗場呼び登録釦の操作により前記呼び登録応答灯を点灯及び消灯させ、この点灯及び消灯に連動して前記乗場用案内表示装置の面発光素子体が点灯及び消灯するようにしたことを特徴としている。
【０００９】
さらに、本発明は、前記乗りかご内用案内表示装置及び前記乗場用案内表示装置が、連続点灯したり点滅点灯したりすることを選択できる構成であることを特徴としている。
【発明の効果】
【００１０】
本発明によれば、乗りかご内用案内表示装置若しくは乗場用案内表示装置の節電を可能にし、かつ、非常灯代わりとなり得るとともに、乗りかご内用案内表示装置や乗場用案内表示装置の視認効果の向上を図り得る薄形化されたエレベーターの表示装置が得られる。
【発明を実施するための最良の形態】
【００１１】
以下、本発明に係るエレベーターの表示装置の実施形態例を、図１〜図７に、基づいて説明する。図１は、本発明の一実施形態に係るエレベーターの乗りかご内を示す要部斜視図である。図２は、本発明の一実施形態に係るエレベーターの乗場部分の要部正面図である。図３は、本発明の一実施形態に係るエレベーターの乗りかご内表示装置の要部縦断面図である。図４は、本発明の一実施形態に係るエレベーターの乗りかご内表示装置の電気回路図である。図５は、本発明の一実施形態に係るエレベーターの乗場用案内表示装置の電気回路図である。図６は、本発明の他実施形態に係るエレベーターの乗りかご内表示装置の正面拡大図である。図７は、本発明の他実施形態に係るエレベーターの乗りかご内表示装置の電気回路図である。
【００１２】
図１に示す本発明の一実施形態に係るエレベーター１の乗りかご２は、かご床３と、このかご床３の周囲に立設された側板４と、この側板４の上面を覆う天井板５と、乗りかご２内の正面側に設けられて乗客の乗降時に開閉するかご扉６とからなり、天井板５の中央部に設けた乗りかご内照明灯(天井照明灯)７と、乗りかご２内に設けられたかご内操作盤８と、このかご内操作盤８に設けられた複数個の行先階登録釦９Ａ、９Ｂ、９Ｃ、９Ｄ、９Ｅと、側板４にフックなどを用いて着脱可能に設けられた乗りかご内用案内表示装置１０とを具備している。乗りかご内用案内表示装置１０の取り付け高さは、大人の目の高さ位置とするのが好ましい。
【００１３】
エレベーター１の乗場１１には、図２に示すように、建物の側壁１２に設けた三方枠１３と、この三方枠１３内に設けた乗場扉１４と、乗りかご２がどの階床にいるかを表示するかご位置表示器１５と、乗りかご１を呼寄せる乗場呼び登録釦１６と、建物の側壁１２にフックなどを用いて着脱可能に設けられた乗場用案内表示装置１７が設けられている。かご位置表示器１５及び乗場呼び登録釦１６は、上下に並設して建物の側壁１２に設けられている。乗場用案内表示装置１７の取り付け高さは、大人の目の高さ位置とするのが好ましい。
【００１４】
乗りかご内用案内表示装置１０は、図３に示すように、表面に情報内容が印刷された透光性の情報表示体１８と、この情報表示体１８の表面を保護する透光性の保護シート１９と、情報表示体１８の裏面側に位置して発光面が表向きに設けられたエレクトロルミネッセンスからなるフィルム状の面発光素子体２０と、この面発光素子体２０の裏面側に配置したバックボード２１と、これら情報表示体１８、保護シート１９、面発光素子体２０及びバックボード２１を収納保持する枠体２２と、面発光素子体２０をエレベーター１の照明電源（Ｕ）、（Ｖ）に接続するためのリード線２３とから構成されている。
【００１５】
フィルム状の面発光素子体２０は、有機エレクトロルミネッセンス若しくは無機エレクトロルミネッセンスから構成されており、厚さ約０．５ｍｍとし、全面均一に発光するように構成されている。乗場用案内表示装置１７は、乗りかご内用案内表示装置１０と同じ構造、すなわち、情報表示体１８と保護シート１９と面発光素子体２０とバックボード２１と枠体２２とを備えた構造としてあり、図４に示すように、１階の乗場１１に設けられている。情報表示体１８の表面には、例えば、建物の各階床毎に、どのようなお店や事務所があるかを確認することができる情報内容が印刷されている。
【００１６】
次に、乗りかご２内に設けた乗りかご内表示装置１０の電気回路図を、図４に基づき詳説する。
【００１７】
図４に示すように、かご内操作盤８に設けた手動切換スイッチ２４と乗りかご内照明灯７とこの乗りかご内照明灯７を自動消灯させるための自動消灯用開閉接点２５との直列回路は、エレベーター１の照明電源（Ｕ）、（Ｖ）に接続されている。第１停電時切換スイッチ２６と乗りかご内表示装置１０の面発光素子体２０と第２停電時切換スイッチ２７と面発光素子体２０の点灯状態（連続点灯か点滅点灯かの状態）を切り換えるための切換接点２８との直列回路は、乗りかご内照明灯７に対して並列に接続されている。第１停電時切換スイッチ２６と第２停電時切換スイッチ２７は、エレベーター１の照明電源（Ｕ）、（Ｖ）が停電したことを停電検出装置２９が検知すると、蓄電池(二次電池)３０の回路に切り換えられるようにしてある。
【００１８】
図４の自動消灯用開閉接点２５は、エレベーター１の乗りかご２が停止した後、所定時間経過しても、乗場呼びが発生しない場合に、自動消灯制御部３１によって、開放されるようにしてある。切換接点２８は、乗りかご内表示装置１０の点灯状態切換え制御部３２によって、連続（常時）閉じた状態と間欠的に閉開する状態とが選択できるようにしてある。これにより、この切換接点２８が連続閉じた状態を選択したときには、乗りかご内表示装置１０の面発光素子体２０が連続点灯（常時点灯）する状態が得られる。また、切換接点２８が間欠的に閉開する状態を選択したときには、乗りかご内表示装置１０の面発光素子体２０が点滅点灯する状態が得られる。
【００１９】
次に、乗場１１側に設けた乗場用案内表示装置１７の電気回路図を、図５に基づき、詳説する。
【００２０】
図５において、符号３３A、３３Ｂ、３３Ｃ、３３Ｄ、３３Ｅは、各階床の乗場呼び登録釦１６のそれぞれに設けた呼び登録応答灯を、符号３４は、呼び登録制御部を、符号３５A、３５Ｂ、３５Ｃ、３５Ｄ、３５Ｅは、呼び登録検出接点を、符号３６は、点灯状態切換え接点を、符号３７は、乗場用案内表示装置１７の点灯状態切換え制御部を、それぞれ示している。呼び登録制御部３４は、乗客が乗場呼び登録釦１６を押すと、乗りかご２の呼び寄せが登録されて乗場呼び登録釦１６を押した階床に乗りかご２が到着するまでは呼び登録応答灯３３A、３３Ｂ、３３Ｃ、３３Ｄ、３３Ｅのうちの乗場呼び登録釦１６を押した階床の乗場呼び登録釦１６に対応する呼び登録応答灯を点灯させ、かつ、乗場呼び登録釦１６を押した階床に乗りかご２が到着するとその点灯した呼び登録応答灯を消灯させるように、呼び登録検出接点３５A、３５Ｂ、３５Ｃ、３５Ｄ、３５Ｅの開閉制御を行うものである。
【００２１】
点灯状態切換え接点３６は、図５に示すように、乗場用案内表示装置１７と直列に接続されている。点灯状態切換え制御部３７は、点灯状態切換え接点３６の連続（常時）閉じた状態と間欠的に閉開する状態のいずれかの状態を切換え制御を行うものである。これにより、この点灯状態切換え接点３６が連続閉じた状態に切換わったときには、乗場用案内表示装置１７の面発光素子体が連続点灯する状態が得られる。また、点灯状態切換え接点３６が間欠的に閉開する状態に切換わったときには、乗場用案内表示装置１７の面発光素子体が点滅点灯する状態が得られる。
【００２２】
上記一実施形態に係るエレベーターの表示装置によれば、乗りかご内照明灯７に連動させて乗りかご内表示装置１０を点灯させることで、乗りかご２を利用するときのみ、乗りかご内表示装置１０が点灯するため、その乗りかご内表示装置１０の長寿命化及び節電を図ることができる。
【００２３】
さらに、上記一実施形態に係るエレベーターの表示装置によれば、例えば、１階の乗場呼び登録釦１６が押されると、呼び登録制御部３４により呼び登録検出接点３５Ａのみが閉じて、呼び登録応答灯３３A 及び乗場用案内表示装置１７が点灯し、しかも、呼び登録制御部３４により呼び登録検出接点３５Ａが開くと、呼び登録応答灯３３A 及び乗場用案内表示装置１７が消灯するようになり、換言すれば、呼び登録応答灯３３Aが点灯しているときのみ、乗場用案内表示装置１７が点灯するようになるので、その乗場用案内表示装置１７の長寿命化及び節電を図ることができる。
【００２４】
さらに、上記一実施形態に係るエレベーターの表示装置によれば、エレベーター１の乗りかご２が停止した後、所定時間経過しても、乗場呼びが発生しない場合に、図４の自動消灯制御部３１によって、自動消灯用開閉接点２５を開放するようにしたので、乗場１１に乗客がいないときには、乗りかご内表示装置１０及び乗りかご内照明灯７を消灯させられるため、節電が図られるとともに、乗りかご内表示装置１０及び乗りかご内照明灯７の長寿命化が図られる。
【００２５】
さらに、上記一実施形態に係るエレベーターの表示装置によれば、乗りかご内表示装置１０の面発光素子体２０を、図４の点灯状態切換え制御部３２によって、顧客や乗客の好みに応じて連続点灯させたりあるいは点滅点灯させたりすることができるので、商品効果が向上するとともに、乗りかご内表示装置１０の情報表示体１８が面発光素子体２０によって照らされるので、乗客が情報表示体１８に注目するようになり、その情報表示体１８の表面に印刷された情報内容を乗客が確実に確認するようになるため、視認効果が向上する。また、乗場用案内表示装置１７も、図５の点灯状態切換え制御部３７によって、顧客や乗客の好みに応じて連続点灯させたりあるいは点滅点灯させたりすることができるので、乗場用案内表示装置１７の商品効果及び視認効果が向上する。
【００２６】
さらに、上記一実施形態に係るエレベーターの表示装置によれば、エレベーター１の照明電源（Ｕ）、（Ｖ）が停電しても、蓄電池３０が乗りかご内用案内表示装置１０の面発光素子体２０に接続されて、その面発光素子体２０全体が連続点灯もしくは点滅するので、乗りかご内用案内表示装置１０が非常灯としての機能を果たすので、乗りかご２内に非常灯を別途設ける必要性がなくなる。
【００２７】
さらに、上記一実施形態に係るエレベーターの表示装置によれば、エレクトロルミネッセンスからなるフィルム状の面発光素子体２０を用いることで、乗りかご内用案内表示装置１０や乗場用案内表示装置１７の薄形化及び軽量化が可能となり、乗りかご２内の側板４にフックなどを用いて着脱可能に取り付けることのできる乗りかご内用案内表示装置１０や乗場１１における建物の側壁１２にフックなどを用いて着脱可能に取り付けることのできる乗場用案内表示装置１７が得られる。また、乗りかご内用案内表示装置１０及び乗場用案内表示装置１７の薄形化及び軽量化が図られることにより、乗りかご２の側板４や建物の側壁１２の大掛かりな加工作業をすることなく、フックなどの取り付け金具によって、その、乗りかご２の側板４に対して捨て乗りかご内用案内表示装置１０を、かつ、建物の側壁１２に対して乗場用案内表示装置１７を、それぞれ、簡単に取り付け及び取り外しすることができるので、乗りかご内用案内表示装置１０及び乗場用案内表示装置１７の設置作業及び撤去作業が容易となる。
【００２８】
さらに、上記一実施形態に係るエレベーターの表示装置によれば、呼び登録応答灯３３A、３３Ｂ、３３Ｃ、３３Ｄ、３３Ｅが点灯しているときにのみ、乗場用案内表示装置１７の面発光素子体が点灯し、しかも、乗場呼び登録釦１６を押した階床に乗りかご２が到着するまでは呼び登録応答灯３３A、３３Ｂ、３３Ｃ、３３Ｄ、３３Ｅのうちの乗場呼び登録釦１６を押した階床の乗場呼び登録釦１６に対応する呼び登録応答灯を点灯させ、かつ、乗場呼び登録釦１６を押した階床に乗りかご２が到着するとその点灯した呼び登録応答灯を消灯させるので、節電が図られると同時に、乗客が乗りかご２を利用するとき、すなわち、乗場呼び登録釦１６を押したときに、乗場用案内表示装置１７の面発光素子体が点灯するので、視認効果の優れた乗場用案内表示装置１７が得られる。
【００２９】
次に、本発明の他実施形態に係るエレベーターの表示装置を、図６及び図７に基づき、詳説する。図６に示す乗りかご内用案内表示装置４０は、乗りかご２内の側板４にフックなどを用いて着脱可能に設けられる。
【００３０】
乗りかご内用案内表示装置４０のエレクトロルミネッセンスからなる面発光素子体４１は、図６に示すように、少なくとも、エレベーター１の停止階床数に縦方向に分割された複数個の分割発光素子体４１A、４１Ｂ、４１Ｃ、４１Ｄ、４１Ｅから構成されている。乗りかご内用案内表示装置４１の情報表示体４２は、図６示すように、複数個の分割発光素子体４１A、４１Ｂ、４１Ｃ、４１Ｄ、４１Ｅに合わせてそれぞれ階床情報が印刷された複数個の分割情報表示体４２A、４２Ｂ、４２Ｃ、４２Ｄ、４２Ｅから構成されている。複数個の分割発光素子体４１A、４１Ｂ、４１Ｃ、４１Ｄ、４１Ｅのうちで、乗りかごの階床位置に該当する部分の分割発光素子体４１A、４１Ｂ、４１Ｃ、４１Ｄ、４１Ｅのうちの１つを、乗りかご内照明灯７の点灯及び消灯に連動して点灯及び消灯させるようにしてある。
【００３１】
乗りかご内用案内表示装置４０は、複数個の分割情報表示体４２A、４２Ｂ、４２Ｃ、４２Ｄ、４２Ｅの表面側に図３の一実施形態と同じく透光性の保護シート１９を、かつ、複数個の分割発光素子体４１A、４１Ｂ、４１Ｃ、４１Ｄ、４１Ｅの裏面側に図３の一実施形態と同じくバックボード２１を、それぞれ設け、これら分割情報表示体４２A、４２Ｂ、４２Ｃ、４２Ｄ、４２Ｅ、保護シート１９、分割発光素子体４１A、４１Ｂ、４１Ｃ、４１Ｄ、４１Ｅ及びバックボード２１を、図３の一実施形態と同じく枠体２２に収納保持するとともに、分割発光素子体４１A、４１Ｂ、４１Ｃ、４１Ｄ、４１Ｅにエレベーター１の照明電源（Ｕ）、（Ｖ）に接続するためのリード線を接続した構造としている。
【００３２】
次に、他実施形態の乗りかご内用案内表示装置４０の電気回路図を、図７に基づき、詳説する。
【００３３】
図７において、符号４３A、４３Ｂ、４３Ｃ、４３Ｄ、４３Ｅは、行先階登録応答灯を、符号４４A、４４Ｂ、４４Ｃ、４４Ｄ、４４Ｅは、行先階登録検出接点を、符号４５は、行先階登録制御部を、符号４６A、４６Ｂ、４６Ｃ、４６Ｄ、４６Ｅは、点灯状態切換え接点を、符号４７は、乗りかご内用案内表示装置４０における面発光素子体４１の点灯状態切換え制御部を、それぞれ示している。行先階登録応答灯４３A、４３Ｂ、４３Ｃ、４３Ｄ、４３Ｅは、かご内操作盤８に設けられた行先階登録釦９Ａ、９Ｂ、９Ｃ、９Ｄ、９Ｅのそれぞれに対応して、乗客が行先階登録釦９Ａ、９Ｂ、９Ｃ、９Ｄ、９Ｅを押した時に点灯して、その登録を受け付けたことを視認することができるように設けられている。
【００３４】
点灯状態切換え制御部４５は、乗客がかご内操作盤８に設けられた行先階登録釦９Ａ、９Ｂ、９Ｃ、９Ｄ、９Ｅのいずれかを押すと行先階登録され、そのサービス階（行先階登録階）に乗りかご２が到着するまでは行先階登録応答灯４３A、４３Ｂ、４３Ｃ、４３Ｄ、４３Ｅのうちの行先階登録されたサービス階（行先階登録階）に対応する行先階登録応答灯のみを点灯させ、かつ、行先階登録されたサービス階（行先階登録階）に乗りかご２が到着するとその点灯した行先階登録応答灯を消灯させるように、行先階登録検出接点４４A、４４Ｂ、４４Ｃ、４４Ｄ、４４Ｅの開閉制御を行うものである。
【００３５】
点灯状態切換え制御部４７は、点灯状態切換え接点４６A、４６Ｂ、４６Ｃ、４６Ｄ、４６Ｅの連続（常時）閉じた状態と間欠的に閉開する状態のいずれかの状態を切換え制御を行うものである。これにより、この点灯状態切換え接点４６A、４６Ｂ、４６Ｃ、４６Ｄ、４６Ｅが連続閉じた状態に切換わったときには、乗りかご内用案内表示装置４０の分割情報表示体４２A、４２Ｂ、４２Ｃ、４２Ｄ、４２Ｅが連続点灯する状態が得られる。また、点灯状態切換え接点４６A、４６Ｂ、４６Ｃ、４６Ｄ、４６Ｅが間欠的に閉開する状態に切換わったときには、乗りかご内用案内表示装置４０の分割情報表示体４２A、４２Ｂ、４２Ｃ、４２Ｄ、４２Ｅが点滅点灯する状態が得られる。
【００３６】
上記他実施形態のエレベーターの表示装置によれば、例えば、行先階登録釦９Ａが押されると、行先階登録制御部４５により行先階登録検出接点４４A、４４Ｂ、４４Ｃ、４４Ｄ、４４Ｅのうちの行先階登録検出接点４４Aのみが閉じて、分割発光素子体４１A、４１Ｂ、４１Ｃ、４１Ｄ、４１Ｅのうち分割発光素子体４１Aのみと行先階登録応答灯４３A、４３Ｂ、４３Ｃ、４３Ｄ、４３Ｅのうちの行先階登録応答灯４３Aのみが点灯するので、複数個の分割情報表示体４２A、４２Ｂ、４２Ｃ、４２Ｄ、４２Ｅのうち、乗客の利用したいサービス階に該当する階床の情報内容が印刷されている１つの分割情報表示体４３Aのみが、行先階登録応答灯４３Aにより照らされる。
【００３７】
以上のように、他実施形態のエレベーターの表示装置によれば、乗りかご内用案内表示装置４０の分割発光素子体４１A、４１Ｂ、４１Ｃ、４１Ｄ、４１Ｅの全部を点灯させるのではなく、分割発光素子体４１A、４１Ｂ、４１Ｃ、４１Ｄ、４１Ｅのうちの、サービス階（行先階登録階）に対応する１つの分割発光素子体のみを点灯させることにより、分割情報表示体４２A、４２Ｂ、４２Ｃ、４２Ｄ、４２Ｅのうちのサービス階（行先階登録階）に対応する１つの分割情報表示体のみが照らされるので、視認効果が高められる。
【００３８】
さらに、上記他実施形態のエレベーターの表示装置によれば、点灯状態切換え制御部４７により点灯状態切換え接点４６A、４６Ｂ、４６Ｃ、４６Ｄ、４６Ｅを間欠的に閉開させることで、分割発光素子体４１A、４１Ｂ、４１Ｃ、４１Ｄ、４１Ｅのうちの、サービス階（行先階登録階）に対応する１つの分割発光素子体のみを、連続点灯させたり点滅点灯させたりることができるので、より一層視認効果が高められる。
【００３９】
上記実施形態例では、乗場呼び登録釦１６と、かご位置表示器１５及び乗場呼び登録釦１６とは、図２示すように、乗場扉１４を挟んで左右に配設されているが、乗場扉１４の左右の一方向側に、乗場呼び登録釦１６とかご位置表示器１５と乗場呼び登録釦１６とをまとめて配設するようにしてもよい。また、上記実施形態例では、面発光素子体２０を、縦方向に分割された複数個の分割発光素子体としているが、横方向に分割された複数個の分割発光素子体とすることも可能である。
【００４０】
さらに、上記他実施形態の面発光素子体４１は、エレクトロルミネッセンスからなる１枚のシートを、複数個の区分毎に発光させるようにすることによって、複数個の分割発光素子体４１A、４１Ｂ、４１Ｃ、４１Ｄ、４１Ｅが構成されるようにしているが、複数個の分割発光素子体４１A、４１Ｂ、４１Ｃ、４１Ｄ、４１Ｅに応じた小面積のエレクトロルミネッセンスのシートを複数個、バックボード２１に配設することによって、複数個の分割発光素子体４１A、４１Ｂ、４１Ｃ、４１Ｄ、４１Ｅを構成するようにしてもよい。
【００４１】
さらに、上記実施形態の乗場用案内表示装置１７につき、上記他実施形態における乗りかご内用案内表示装置４０の面発光素子体４１と同様に、複数個の分割発光素子体から構成するようにしてもよい。また、上記実施形態の乗場用案内表示装置１７につき、乗りかご内表示装置１０と同様に、第１停電時切換スイッチ２６と第２停電時切換スイッチ２７とエレベーター１の照明電源（Ｕ）、（Ｖ）が停電したことを検知する停電検出装置２９を設けて、乗場用案内表示装置１７の電源を蓄電池(二次電池)３０に切り換えられるようにすることにより、乗場用案内表示装置１７を非常灯代わりとすることが可能となるようにしてもよい。
【図面の簡単な説明】
【００４２】
【図１】本発明の一実施形態に係るエレベーターの乗りかご内を示す要部斜視図である。
【図２】本発明の一実施形態に係るエレベーターの乗場部分の要部正面図である。
【図３】本発明の一実施形態に係るエレベーターの乗りかご内表示装置の要部縦断面図である。
【図４】本発明の一実施形態に係るエレベーターの乗りかご内表示装置の電気回路図である。
【図５】本発明の一実施形態に係るエレベーターの乗場用案内表示装置の電気回路図である。
【図６】本発明の他実施形態に係るエレベーターの乗りかご内表示装置の正面拡大図である。
【図７】本発明の他実施形態に係るエレベーターの乗りかご内表示装置の電気回路図である。
【００４３】
１    エレベーター
２    乗りかご
３    かご床
４    側板
５    天井板
６    かご扉
７    乗りかご内照明灯(天井照明灯)
８    かご内操作盤
９Ａ、９Ｂ、９Ｃ、９Ｄ、９Ｅ  行先階登録釦部
１０  乗りかご内用案内表示装置
１１  乗場
１２  建物の側壁
１３  三方枠
１４  乗場扉
１５  かご位置表示器
１６  乗場呼び登録釦
１７  乗場用案内表示装置
１８  情報表示体
１９  保護シート
２０  面発光素子体（一実施形態例）
２１  バックボード
２２  枠体
２３  リード線
２４  手動切換スイッチ
２５  自動消灯用開閉接点
２６  第１停電時切換スイッチ
２７  第２停電時切換スイッチ
２８  切換接点
２９  停電検出装置
３０  蓄電池(二次電池)
３１  自動消灯制御部
３２  点灯状態切換え制御部
３３A、３３Ｂ、３３Ｃ、３３Ｄ、３３Ｅ  呼び登録応答灯
３４  呼び登録制御部
３５A、３５Ｂ、３５Ｃ、３５Ｄ、３５Ｅ  呼び登録検出接点
３６  点灯状態切換え接点
３７  点灯状態切換え制御部
４０  乗りかご内用案内表示装置（他実施形態例）
４１  面発光素子体
４１A、４１Ｂ、４１Ｃ、４１Ｄ、４１Ｅ  分割発光素子体
４２  情報表示体
４２A、４２Ｂ、４２Ｃ、４２Ｄ、４２Ｅ  分割情報表示体
４３A、４３Ｂ、４３Ｃ、４３Ｄ、４３Ｅ  行先階登録応答灯
４４A、４４Ｂ、４４Ｃ、４４Ｄ、４４Ｅ  行先階登録検出接点
４５  行先階登録制御部
４６A、４６Ｂ、４６Ｃ、４６Ｄ、４６Ｅ  点灯状態切換え接点
４７  点灯状態切換え制御部
【図１】
2008087942.tif 000003
【図２】
2008087942.tif 000004
【図３】
2008087942.tif 000005
【図４】
2008087942.tif 000006
【図５】
2008087942.tif 000007
【図６】
2008087942.tif 000008
【図７】
2008087942.tif 000009